(57)【特許請求の範囲】
【請求項１】
着信を行った際に、着信通知手段を鳴動させて該着信の通知を行う移動通信端末であって、
電話番号またはメールアドレスを氏名に対応させ、着信音をオフにするレベルを含む複数段階の着信音量が該氏名毎に設定されたデータを記憶している記憶手段と、
受信した呼の発信元の電話番号または受信した電子メールの発信元のメールアドレスが前記記憶手段に格納されているか否かを検索し、格納されている場合には、該電話番号またはメールアドレスに対応した氏名に対して設定されている着信音量により前記着信通知手段を鳴動させる制御手段とを有する移動通信端末。
【請求項２】
着信を行った際に、着信通知手段を鳴動させて該着信の通知を行う移動通信端末であって、
電話番号またはメールアドレスを氏名に対応させ、着信音をオフにするレベルを含む複数段階の着信音量が該氏名のグループ毎に設定されたデータを記憶している記憶手段と、
受信した呼の発信元の電話番号または受信した電子メールの発信元のメールアドレスが前記記憶手段に格納されているか否かを検索し、格納されている場合には、該電話番号またはメールアドレスに対応した氏名のグループに対して設定されている着信音量により前記着信通知手段を鳴動させる制御手段とを有する移動通信端末。
【請求項３】
着信を行った際に、着信通知手段を鳴動させて該着信の通知を行う着信音量制御方法であって、
電話番号またはメールアドレスを氏名に対応させ、着信音をオフにするレベルを含む複数段階の着信音量が該氏名毎に設定されたデータを予め記憶しておくステップと、
受信した呼の発信元の電話番号または受信した電子メールの発信元のメールアドレスが予め記憶していたデータに含まれているか否かを検索するステップと、
予め記憶していた前記データに受信した呼の発信元の電話番号または受信した電子メールの発信元のメールアドレスが含まれている場合には、該電話番号またはメールアドレスに対応した氏名に対して設定されている着信音量により着信通知手段を鳴動させるステップとを有する着信音量制御方法。
【請求項４】
着信を行った際に、着信通知手段を鳴動させて該着信の通知を行う着信音量制御方法であって、
電話番号またはメールアドレスを氏名に対応させ、着信音をオフにするレベルを含む複数段階の着信音量が該氏名のグループ毎に設定されたデータを予め記憶しておくステップと、
受信した呼の発信元の電話番号または受信した電子メールの発信元のメールアドレスが予め記憶していたデータに含まれているか否かを検索するステップと、
予め記憶していた前記データに受信した呼の発信元の電話番号または受信した電子メールの発信元のメールアドレスが含まれている場合には、該電話番号またはメールアドレスに対応した氏名のグループに対して設定されている着信音量により着信通知手段を鳴動させるステップとを有する着信音量制御方法。
【発明の詳細な説明】
【０００１】
【発明の属する技術分野】
本発明は、携帯電話機、ＰＨＳ端末等の移動通信端末に関し、特に着信があった際の着信音量を制御するための着信音量制御方法に関する。
【０００２】
【従来の技術】
従来の移動通信端末には、音声通話の呼、または、メールの着信時に、鳴動するメロディを電話番号またはメールアドレス毎に変更することができる機能を有するものが存在する。このような機能を用いれば、通信相手に応じて着信メロディを変えることができた。しかし、このような従来の移動通信端末においても着信音量は一定であったため、重要度の高い電話や、電子メールは、着信音量を大きくしたり、逆に重要度の低い電話や電子メールの着信音量を小さくするようなことはできなかった。
【０００３】
近年携帯電話機を用いて電子メールの送受信等の情報配信サービスを利用することが普及している。このような情報配信サービスを頻繁に利用している場合、従来の携帯電話機では着信がある度に着信音が鳴動するため、頻繁に着信音が発生してわずらわしい。しかし、電子メールの着信時の着信音がわずらわしくて着信音量をオフにすると、音声通話を含めた全ての着信に対して着信音がオフとなるため、重要な着信があった場合でも気づかないという問題が発生する。音声通話の着信においても、着信音量を小さくしておくと、重要な電話をとり損ねたりする。逆に、着信音量を大きくしておくと、常に、大きな着信音となり、わずらわしい。
【０００４】
【発明が解決しようとする課題】
上述した従来の移動通信端末では、着信音量の変更はできるものの通信相手にかかわらず一定の着信音量しか設定することができないため着信音がわずわらしい、重要な着信に気づかなかった等の不具合があるという問題点があった。
【０００５】
本発明の目的は、通信相手に応じて着信音量を設定することができる移動通信端末および着信音量制御方法を提供することである。
【０００６】
【課題を解決するための手段】
上記目的を達成するために、本発明の移動通信端末は、着信を行った際に、着信通知手段を鳴動させて該着信の通知を行う移動通信端末であって、
電話番号またはメールアドレスを氏名に対応させ、着信音をオフにするレベルを含む複数段階の着信音量が該氏名毎に設定されたデータを記憶している記憶手段と、
受信した呼の発信元の電話番号または受信した電子メールの発信元のメールアドレスが前記記憶手段に格納されているか否かを検索し、格納されている場合には、該電話番号またはメールアドレスに対応した氏名に対して設定されている着信音量により前記着信通知手段を鳴動させる制御手段とを有する。
【０００７】
また、電話番号またはメールアドレスに対応させた氏名のグループ毎に着信音量を設定することができるようにしてもよい。
【０００８】
本発明によれば、電話番号やメールアドレスを氏名に対応させ、その氏名毎に設定した着信音量のデータを記憶手段に予め格納しておき、着信があった場合は、制御手段により発信元の電話番号またはメールアドレスを記憶手段から検索し、一致した電話番号またはメールアドレスがあった場合には、その電話番号またはメールアドレスに対応した氏名に対して設定されている音量で着信音を鳴動させるようにしたものである。これにより、情報を配信してきた相手に応じて、着信音量を変化させることができるとともに着信しても、着信音が鳴らないようにすることができる。また、重要な相手からの電話やメールだけを、着信音量を上げて聞き漏らさないようにすることもできる。そして、氏名毎に着信音量を設定することができるので、電話番号、メールアドレス毎に着信音量を設定することなく通信相手毎に着信音量を設定することができ、着信音量設定の際の手間を大幅に削減することができる。
【０００９】
【発明の実施の形態】
次に、本発明の実施の形態について図面を参照して詳細に説明する。
【００１０】
（第１の実施形態）
図１は本発明の第１の実施形態の移動通信端末の構成を示すブロック図である。
【００１１】
本実施形態の移動通信端末は、図１を参照すると、移動通信端末の制御を行っている制御部４０と、電話番号またはメールアドレス毎に着信音量が設定されたデータを記憶している記憶部５０、無線部１０と、変復調部２０、コーデック部３０と、キーボード等の入力部７０と、ＬＣＤ等の表示部６０と、ユーザに着信を通知するための着信通知部８０とから構成されている。
【００１２】
記憶部５０に記憶されているデータの構造の一例を図２に示す。記憶部５０には、図２に示すように、電話番号またはメールアドレス毎に着信音量が設定されたデータが記憶されている。
【００１３】
この図２では、着信音量のレベルを０〜５の６段階により設定する場合を用いている。ここで、着信音量のレベルを０とすると着信音量の鳴動はオフとなり、例え音声通話または電子メールを受信した場合でも着信音は発生しない。また、着信音量のレベルが１〜５の場合は、数字が大きくなるほど大きな音の着信音量が設定されていることを示している。この記憶部５０に記憶されるデータは、入力部７０を介して、ユーザにより入力することができる。
【００１４】
制御部４０は、受信した呼の発信元の電話番号または受信した電子メールの発信元のメールアドレスが記憶手段５０に格納されているか否かを検索し、格納されている場合には、その電話番号またはメールアドレスに対して設定されている着信音量により着信通知部８０を鳴動させる。
【００１５】
次に、本実施形態の動作について、図１、図２及び図３のフローチャートを参照して詳細に説明する。
【００１６】
着信音を鳴動させる。図３のフローチャートは、携帯電話機、ＰＨＳ等の移動通信端末が電子メールや音声通話等の着信を検知してから、着信通知部８０を鳴動させるまでのフローチャートを示している。移動通信端末が着信を検知すると、制御部４０は、受信した呼の発信元の電話番号またはメールアドレス等を、記憶部５０から検索する（ステップ１０１）。記憶部５０内に目的の電話番号またはメールアドレスがあった場合（ステップ１０２）は、制御部４０は、その電話番号またはメールアドレスに対応する着信音量のレベルを記憶部５０から読み出す（ステップ１０３）。そして、制御部４０は、記憶部５０から読み出した着信音量のレベルにしたがった音量により、着信通知部８０を鳴動させて着信音を発生させる（ステップ１０５）。記憶部５０内に受信した呼の電話番号またはメールアドレスがなかった場合（ステップ１０２）、制御部４０は、通常の音量で着信通知部８０を鳴動させる（ステップ１０４）。
【００１７】
本実施形態によれば、携帯電話機を介して定期的に配信される情報、受信後にすぐ見る必要の無い電子メール等を受信した際の着信音は、通信相手である送信元が特定されているため、着信音を消去できる。
【００１８】
また、本実施形態によれば、重要な相手からの電話やメール着信等の着信音量を他の音声通話や電子メール着信の場合よりも大きな音量となるように設定しておけば、騒音の中にいたり、カバンの中に携帯電話機やＰＨＳ端末等を入れている場合でも、重要な相手からの音声通話または電子メールの着信音を聞き逃すことがなくなる。
【００１９】
（第２の実施形態）
次に、本発明の第２の実施形態について図面を参照して詳細に説明する。
【００２０】
上記第１の実施形態の移動通信端末では、記憶部５０に記憶されているデータは、電話番号またはメールアドレスと着信音量の設定データが１対１に対応しているものであった。本実施形態では、電話番号またはメールアドレスを氏名に対応させた電話帳を作成し、この氏名毎に着信音量を設定することができるようにしたものである。このように氏名毎に着信音量を設定することができるようにした場合の、記憶部５０に記憶させるデータの一例を図４に示す。
【００２１】
また、電話帳における氏名をグループ分けして、そのグループ毎に着信音量を設定するようにしてもよい。このようにグループ毎に着信音量を設定することができるようにした場合の、記憶部５０に記憶させるデータの一例を図５に示す。
【００２２】
本実施形態のように、氏名毎またはグループ毎に着信音量を設定することができれば、電話番号、メールアドレスの１つずつに着信音量を設定することなく通信相手毎に着信音量を設定することができるようになる。例えば、仕事関係の音声通話、電子メールの着信音は大きくし、それ以外の音声通話、電子メールの着信音は小さくする等の設定する場合、上記第１の実施形態の場合には、各電話番号、メールアドレス毎に着信音量の設定を行う必要があったのに対し、本実施形態によれば着信音量設定の際の手間を大幅に削減することができる。
【００２３】
上記第１および第２の実施形態では、着信音量のレベルを０〜５の６段階で設定することができる場合を用いて説明したが、本発明はこれに限定されるものではなく、着信音量を設定することができるレベルの数はどのように変更した場合でも同様に適用することができるものである。
【００２４】
【発明の効果】
以上説明したように、本発明によれば、通信相手に応じて着信音量を設定することができるいう効果を得ることができる。
【図面の簡単な説明】
【図１】本発明の第１の実施形態の移動通信端末の構成を示すブロック図である。
【図２】図１中の記憶部５０に記憶されるデータの構造の一例を説明するための図である。
【図３】図１の移動通信端末の動作を示すフローチャートである。
【図４】本発明の第２の実施形態における記憶部に記憶されるデータの構造の一例を説明するための図である。
【図５】本発明の第２の実施形態における記憶部に記憶されるデータの構造の他の例を説明するための図である。
【符号の説明】
１０    無線部
２０    変復調部
３０    コーデック部
４０    制御部
５０    記憶部
６０    表示部
７０    入力部
８０    着信通知部
１０１〜１０５    ステップ
【図１】
0003678674.tif 000002
【図２】
0003678674.tif 000003
【図３】
0003678674.tif 000004
【図４】
0003678674.tif 000005
【図５】
0003678674.tif 000006